(57)【要約】【課題】操作使用に便利な加熱機能を備えた衣類を提供する。【解決手段】加熱機能を備えた衣類は、衣類１１、電源となる電気供給部品２０、制御モジュール３０と無線伝送モジュールを４０から構成され、更に、無線通信にて携帯電子装置５０に結合する。該無線伝送モジュールは、通信モジュールにより携帯電子装置と無線連結し、ＡＰＰアプリケーションで制御モジュールを駆動して、電源のオンもしくはオフの制御及び電熱部品の加熱温度を調整する。【選択図】図１
0003204838.tif 000002
【実用新案登録請求の範囲】
【請求項１】
衣類、電気供給部品、制御モジュールと無線伝送モジュールから構成され、携帯電子装置に結合する、加熱機能を備えた衣類であって、
上記衣類は、適切な位置に電熱部品を設置し、
上記電気供給部品は、上記電熱部品を加熱する電力を供給し、
上記制御モジュールは、筐体内にパッケージングされ、押圧式制御スイッチを具えた制御パネルを具え、該制御スイッチを押圧操作して電源のオンもしくはオフの制御及び電熱部品の加熱温度を調整し、
上記無線伝送モジュールは、携帯電子装置と無線にて連結する通信モジュールであって、ＡＰＰアプリケーションによって制御モジュールを駆動して、電源のオンもしくはオフの制御及び電熱部品の加熱温度を調整することを特徴とする、
加熱機能を備えた衣類。
【考案の詳細な説明】
【技術分野】
【０００１】
本考案は、加熱機能を備えた衣類に関するもので、特に携帯電子装置(例として、携帯電話もしくはタブレット端末)に結合し、ＡＰＰアプリケーションによって電源のオンもしくはオフの制御及び電熱部品の加熱温度を調整する衣類に係る。
【背景技術】
【０００２】
防寒効果を高めるため、衣類(例として衣服、ズボン、手袋、帽子、靴下、靴の中敷き、靴等)には電熱部品を設置する設計があり、電熱部品に通電することで、熱エネルギーが発生し、着用時の加熱保温効果を達成する。
【０００３】
上述の公知の加熱機能を備えた衣類は、使用する時、制御モジュールの電源のオンもしくはオフ操作及び電熱部品が発する温度を調整する。現在の実施方式については、該制御モジュールは回路が湿気で壊れるのを防止するため、筐体内部にパッケージングされ、該筐体には制御パネルを設置する。該制御パネル上には少なくとも押圧式制御スイッチを設置し、該制御スイッチを押して、電源のオンもしくはオフの制御及び電熱部品の加熱温度を調整する。
【先行技術文献】
【特許文献】
【０００４】
【特許文献１】特開２００３−３６９５７号公報
【特許文献２】特開昭６２−４０１９１号公報
【考案の概要】
【考案が解決しようとする課題】
【０００５】
解決しようとする問題点として、上述の公知の加熱機能を備えた衣類は、人体に対して加熱保温効果を提供するが、着た時の快適性及び衣類の外観を妨げる点を考慮して該制御モジュールは、通常収納されて設置するため、該制御モジュールを操作して使用するのに不便である。特に内部に着る衣類(例として、靴下)の場合、使用時に少なくとも衣類の筒部を開いて該制御パネル上の制御スイッチを押圧操作しなければならないため、使用者にとって、かなり操作上不便である。
【課題を解決するための手段】
【０００６】
本考案は、衣類、電気供給部品、制御モジュールと無線伝送モジュールを含み、更に、携帯電子装置に結合する。そのうち、該無線伝送モジュールは、通信モジュールとして、携帯電子装置と無線連結し、ＡＰＰアプリケーションで制御モジュールを駆動し、電源のオンもしくはオフの制御及び電熱部品の加熱温度を調整することを最も主要な特徴とする。
【考案の効果】
【０００７】
本考案の加熱機能を備えた衣類は、使用が便利であるという利点がある。
【図面の簡単な説明】
【０００８】
【図１】本考案の構造指示図である。
【考案を実施するための形態】
【０００９】
上述公知の欠点を改善し、携帯電子装置(例として、型携帯電話もしくはタブレット端末)を結合し、ＡＰＰアプリケーションを使って電源のオンもしくはオフの制御及び電熱部品の加熱温度を調整する加熱機能を備えた衣類を提供することを本考案の目的とする。
【００１０】
上述の目的を達成するため、本考案の加熱機能を備えた衣類は、衣類、電気供給部品、制御モジュールと無線伝送モジュールを含み、携帯電子装置を結合する。そのうち、
【００１１】
該衣類は、適する位置に電熱部品を設置する。
【００１２】
該電気供給部品は、上述電熱部品に加熱の電力を提供するのに用いる。
【００１３】
該制御モジュールは、筐体内にパッケージングし、該筐体も制御パネルを設置し、また、押圧式制御スイッチを含む。該制御スイッチを押すことで電源のオンもしくはオフの制御及び電熱部品の加熱温度の調整をする。
【００１４】
該無線伝送モジュールは、通信モジュールであり、携帯電子装置(例として携帯電話もしくはタブレット端末)と無線連結し、ＡＰＰアプリケーションで制御モジュールを駆動し、電源のオンもしくはオフの制御及び電熱部品の加熱温度を調整する。
【００１５】
上述の構造によって、使用に更に便利な加熱機能を備えた衣類を提供する。
【実施例】
【００１６】
本考案の目的達成やそれを運用ための技術手段及びその構造を理解するため、図１に示す実施例を挙げ、以下のとおり更に詳細に説明する。
【００１７】
図１に示すのは、本考案の実施例の加熱機能を備えた衣類の構成であり、衣類１０、電気供給部品２０、制御モジュール３０、無線伝送モジュール４０から構成され、携帯電子装置５０と結合する。そのうち、
【００１８】
該衣類１０(図１参照)は、その適切な位置に、電熱部品１１を設置する。該衣類１０として、図１に示す実施例は靴下とするが、これに制限されず、衣服、ズボン、手袋、帽子、靴の中敷き、または靴等の衣類でもよい。
【００１９】
該電気供給部品２０(図１参照)は、上述の電熱部品１１を加熱する電力を提供するのに用いる。該電気供給部品２０の良好な実施例として、繰り返し充電可能な電池とする。
【００２０】
該制御モジュール３０(図１参照)は、筐体３１の中にパッケージングされ、更に該筐体３１には制御パネル３２を設置し、制御パネル３２は押圧式制御スイッチ３３を具え、該制御スイッチ３３を押圧操作して電源のオンもしくはオフの制御及び電熱部品の加熱温度を調整する。該制御モジュール３０は一般の制御回路であるため、この明細書及び図式では更に説明しない。
【００２１】
該無線伝送モジュール４０(図１参照)は、通信モジュールであり、携帯電子装置５０(例として、型携帯電話もしくはタブレット端末)と無線連結し、携帯電子装置５０がダウンロードしたＡＰＰアプリケーション５１によって制御モジュール３０を駆動し、電源のオンもしくはオフの制御及び電熱部品の加熱温度を調整する。
【００２２】
上述の構造によって、本考案は、制御パネル３２上の押圧式制御スイッチ３３を押圧操作し、電源のオンもしくはオフの制御及び電熱部品の加熱温度を調整する他に、スマート携帯電子装置５０がダウンロードしたＡＰＰアプリケーション５１によって電源のオンもしくはオフの制御及び電熱部品の加熱温度の調整を無線伝送する。
【００２３】
以上の説明と図式が示す実施例からわかるとおり、本考案は携帯電子装置を結合し、ＡＰＰアプリケーションで電源のオンもしくはオフの制御及び電熱部品の加熱温度を調整し、使用の利便性を高める。本考案は公知の加熱機能を備えた衣類と比較して、明らかな進歩性を備え、且つその構造は未見であることから実用新案登録申請の条件に符合する。
【００２４】
以上の例は、本考案の説明のための実施例であり、本考案の請求範囲記載の権利を制限するものではなく、同等の変化もしくは修飾はすべて本考案の請求範囲に含まれるものである。
【符号の説明】
【００２５】
１０        衣類
１１        電熱部品
２０        電気供給部品
３０        制御モジュール
３１        筐体
３２        制御パネル
３３        制御スイッチ
４０        無線伝送モジュール
５０        携帯電子装置
５１        ＡＰＰアプリケーション
【図１】
0003204838.tif 000003